(57)【特許請求の範囲】
【請求項１】
枠体と、障子とを備え、枠体は、上下の横枠と、左右の縦枠とを四周枠組みしたものであり、障子は、縦框と、横框と、樹脂製のコーナー部材と、火災時に熱によって発泡する耐火材とを有し、左右の縦框の間に上下の横框を取り付け、縦框の上下端部の開口部にコーナー部材を嵌め込んで取り付けたものであって、コーナー部材は、横枠に設けたレールを跨ぐ溝部を有しており、耐火材は、コーナー部材の、横枠に対向する位置に取り付けてあるとともに、火災時に発泡してコーナー部材の横枠に対向する面を覆い、かつ横枠との隙間を塞ぐものであることを特徴とするサッシ。
【発明の詳細な説明】
【技術分野】
【０００１】
本発明は、火災時においても気密性を維持できるサッシに関する。
【背景技術】
【０００２】
サッシは、枠体や障子に取り付けた樹脂製の気密材により気密性を維持しているが、火災時にはこの気密材が融解してしまい、枠体と障子との間に隙間を生じることがあった。これについては、熱に強い素材からなる気密材を用いることで対策していた。また、炎熱により障子が変形して、枠体との間に隙間を生じることもあった。これについては、障子に各種の補強材を取り付けることで変形を抑えていた。しかしながら、熱に強い素材からなる気密材を用いても、融解までの時間を延ばすことはできるが、融解することを防ぐことはできなかった。また、障子の変形についても、補強材によって完全に抑えることはできず、僅かでも隙間が生じれば気密性は維持されなくなってしまう。そこで、特許文献１に示すように、障子に加熱時に発泡する耐火断熱材を取り付け、火災時には耐火断熱材が発泡して障子と枠体の間の隙間を塞ぐものが公知となっている（段落００２５、図３）。
【先行技術文献】
【特許文献】
【０００３】
【特許文献１】特開２００４−１６９４５３号公報
【発明の概要】
【発明が解決しようとする課題】
【０００４】
しかしながら、一般に障子の角部には樹脂製のコーナー部材を取り付けてあるが、火災時においては、このコーナー部材が炎熱にさらされて融解し、隙間を生じたり室内外が連通したりして気密性を維持できなくなってしまうことが問題であり、特許文献１の発明のように障子に耐火断熱材を取り付けるだけではこの問題を解消することはできなかった。
【０００５】
本発明は、上記事情を鑑みたものであり、コーナー部材を炎熱から守って気密性を維持するサッシを提供することを目的とする。
【課題を解決するための手段】
【０００６】
本発明は、枠体と、障子とを備え、枠体は、上下の横枠と、左右の縦枠とを四周枠組みしたものであり、障子は、縦框と、横框と、樹脂製のコーナー部材と、火災時に熱によって発泡する耐火材とを有し、左右の縦框の間に上下の横框を取り付け、縦框の上下端部の開口部にコーナー部材を嵌め込んで取り付けたものであって、コーナー部材は、横枠に設けたレールを跨ぐ溝部を有しており、耐火材は、コーナー部材の、横枠に対向する位置に取り付けてあるとともに、火災時に発泡してコーナー部材の横枠に対向する面を覆い、かつ横枠との隙間を塞ぐものであることを特徴とする。
【発明の効果】
【００１３】
本発明によれば、サッシが炎熱にさらされた際に、耐火材が発泡してコーナー部材を覆うので、コーナー部材を炎熱から守り、同時に、対向する位置にある枠体に密接するので、枠体とコーナー部材との間の隙間を塞いでサッシの気密性を維持する。
【図面の簡単な説明】
【００２０】
【図１】室外側障子の戸当り側縦框の下端部を示し、（ａ）は左側側面図、（ｂ）は正面図、（ｃ）は右側側面図である。
【図２】室外側障子の召合せ側縦框の下端部を示し、（ａ）は左側側面図、（ｂ）は正面図、（ｃ）は右側側面図である。
【図３】室内側障子の戸当り側縦框の下端部を示し、（ａ）は左側側面図、（ｂ）は正面図、（ｃ）は右側側面図である。
【図４】室内側障子の召合せ側縦框の下端部を示し、（ａ）は左側側面図、（ｂ）は正面図、（ｃ）は右側側面図である。
【図５】本発明のサッシの縦断面図である。
【図６】本発明のサッシの横断面図である。
【図７】スペーサ取り付け部分の分解斜視図である。
【発明を実施するための形態】
【００２１】
以下、本発明の実施の形態を図面に基づいて説明する。なお、上下は図５中の上下方向を、左右は図６中の左右方向を表す。ここでは、サッシの一例として、図５及び図６に示すように、枠体１に二枚の障子２ａ，２ｂを引違いに納めた引違い窓の例を挙げる。枠体１は、横枠（上枠１１及び下枠１２）と、左右の縦枠１３とを四周枠組みしたもので、上枠１１の下側面にはレール１１ａ，１１ｂが形成してあり、下枠１２の上側面にはレール１２ａ，１２ｂが形成してあって、二枚の障子２ａ，２ｂが左右方向スライド自在に納めてある。障子２ａ，２ｂは、何れも左右の縦框３と、上下の横框４（上框４１及び下框４２）と、パネル７とを備え、左右の縦框３の間に上下の横框４を取り付けて（縦框３の内周側面に横框４の端面を当接させて、縦框３の外周側からボルト止めしてある）四周框組みして、パネル７を嵌め込んだものである。なお、このサッシは、障子２ａ，２ｂの各縦框３及び横框４が（室外側の障子２ａの召合せ側の縦框３を除く）、室外側のアルミ部材３ｃ，４ｃと室内側の樹脂部材３ｄ，４ｄとを組み合わせて構成された、いわゆる複合サッシである。
【００２２】
そして、各縦框３の上下端部には、樹脂製のコーナー部材９を取り付けて開口部を塞いである。図１〜４に示すのは、各縦框３（室外側の障子２ａの戸当り側、召合せ側及び室内側の障子２ｂの戸当り側、召合せ側）の下端部であり、各コーナー部材９は、細部の形状は異なるものの、何れも縦框３端部の開口部に嵌め込むものであり、下面にはレール１２ａ，１２ｂを跨ぐ溝部９１を形成してある。一方、枠体１（下枠１２）の、召合せ側の縦框３のコーナー部材９に対向する位置には、貫通孔７１が形成してあり、この貫通孔７１に、樹脂製で室内外方向に連通する気密ピース１０ａ（止水ピース）を嵌め込んで取り付けてあり、これは、図２（ａ）及び図４（ａ）に示すように、室内側への水の流入を抑えるためのものである。また、室外側の障子２ａの戸当り側の縦框３の下部には、図１及び図６（ａ）に示すように、二つの貫通孔７１が形成してあり、これは排気孔としての機能を有するものである。そして、貫通孔７１を塞ぐカバー材１０ｂとして、室内側の障子２ｂのストッパーを取り付けてある。気密ピース１０ａは、それ自体が室内外に連通しており、カバー材１０ｂは、貫通孔７１を覆うものであるから、何れも無くなるとサッシの室内外が連通してしまうことになる。そして、室外側の障子２ａの戸当り側、召合せ側及び室内側の障子２ｂの召合せ側のコーナー部材９の下面（室外側の障子２ａにおいては溝部９１の室内側、室内側の障子２ｂにおいては溝部９１の室外側）には、溝部９１に沿って耐火材６７を取り付けてある。なお、本実施形態では室内側の障子２ｂの戸当り側の縦框３のコーナー部材９の下面には耐火材を取り付けていないが、もちろんここにも取り付けてもよい。また、各縦框の上端部のコーナー部材の上面にも耐火材を取り付けてあり、さらに上枠の、召合せ側の縦框３のコーナー部材に対向する位置には気密ピースとして風の侵入や音もれを抑えるための風止板を取り付けてある。
【００２３】
ここで、耐火材６７は、エポキシ系の素材からなるもので、約２００℃で発泡して厚さ方向（取付面に対して垂直方向）に膨張する。
【００２４】
この耐火材６７は、炎熱にさらされた際に発泡してコーナー部材９自身の横枠に対向する面を覆って炎熱から守り、サッシの気密性を維持する。そして、それと同時に対向する位置にある気密ピース１０ａ及びカバー材１０ｂを覆うので、気密ピース１０ａ及びカバー材１０ｂが炎熱にさらされて融解し、室内外が連通して気密性が維持できなくなることを防ぐ。
【００２５】
なお、図５及び図６に示すように、本発明のサッシの障子２ａ，２ｂにおいては、パネル７の全周にわたって、鉄製で断面コ字形のパネル支持材１００を取り付けてある。これは、サッシが炎熱にさらされて縦框３及び横框４が融解した場合にパネル７が外れるのを防ぎ、サッシの気密性を維持するためのものである。
【００２６】
また、各縦框３のホロー内には、鉄製で断面コ字形の補強材１１０を挿入してある。補強材１１０は縦框３の全長にわたるもので、外側からネジ止めしてある。これは、サッシが炎熱にさらされた際に、縦框３の伸びを抑えるためのものである。
【００２７】
さらに、上框４１の上側面、下框４２の下部内側面、戸当り側の縦框３の戸当り面及び室外側の障子２ａの召合せ側の縦框３の召合せ面には、それぞれ全長にわたって耐火材６１，６２，６３，６４が取り付けてある。何れも、サッシが炎熱にさらされた際に、枠体１と障子２ａ，２ｂ又は障子２ａ，２ｂ同士の間に生じる隙間を塞いで、サッシの気密性を維持するためのものである。
【００２８】
また、図１〜４に示すように、各コーナー部材９の溝部９１内側の前後の壁面に、補助耐火材６５を取り付けてある。さらに、図１（ａ）及び図３（ｃ）に示すように、戸当り側の縦框３において、コーナー部材９の外周側面（戸当り面）は露出しており、ここに上下に延びる補助耐火材６６を取り付けてある。なお、各縦框３の上端部のコーナー部材にも、同様に補助耐火材を取り付けてある。縦框３及び横框４に取り付けた耐火材６１，６２，６３及びコーナー部材９に取り付けた補助耐火材６５，６６は、炎熱にさらされた際に、膨張して互いに密接し、障子２ａ，２ｂの周囲に連続した防火ラインが形成され、障子２ａ，２ｂと枠体１との間を隙間なく塞ぎ、サッシの気密性を維持することができる。
【００２９】
さらに、縦框３の内周側面と横框４の端面の間には、スペーサ５が取り付けてある。図７は、下框４２の場合を示したものであり、スペーサ５は、長方形状で、上下に二つのボルト孔５１が形成してあり、縦框３と下框４２を接合するボルト８が貫通している。また、スペーサ５の室外側と室内側には、上下方向に延びる耐火材６を取り付けてある。そして、縦框と上框の間にも略同様にスペーサ及び耐火材を取り付けてある。なお、スペーサ５は、ＡＢＳ樹脂からなるもので、約１００℃で軟化し始め、約３００℃で融解する。融解する際には、可燃性のガスを生じる。火災時には、サッシが炎熱にさらされて、まずスペーサ５が軟化し、温度上昇に伴って伸び始める横框４に押しつぶされることで横框４の伸びを吸収する。そして、最終的にはスペーサ５が融解して、厚さ分だけ横框４の伸びを吸収して、障子の変形を防ぐことができる。そして、耐火材６が発泡して縦框３と横框４の間の隙間を塞ぎ、煙の流通を遮断し、またスペーサ５が融解することにより発生するガスも遮断し、さらに融解したスペーサ５を包み込んで、その流出を防ぐ。また、発泡した耐火材６は空気層を有し断熱性に優れているから、直接炎熱にさらされている部位から他の部位への熱伝導を抑え、熱による損傷範囲を小さくすることができる。なお、スペーサ５の大きさは横框４端面の大きさよりも小さくなっており、これはスペーサ５が大きすぎると溶け残りを生じて横框４の伸び吸収の妨げになるからである。一方、耐火材６の上下方向長さは横框４端面の上下方向長さと略同一であり、横框４と縦框３の間の隙間を確実に塞ぐ。また、横框４のうち伸びるのはアルミ部材４ｃであり、樹脂部材４ｄは溶けてしまうから、スペーサ５及び耐火材６は、アルミ部材４ｃ部分に当接させてある。さらに、耐火材６をスペーサ５の室外側と室内側の両方に取り付けたことにより、サッシが室外側と室内側のどちらから炎熱にさらされた場合であっても、耐火材６が確実に発泡して隙間を塞ぐ。
【００３０】
本発明は、上記の実施形態に限定されない。たとえば、本発明は引違い窓以外の種々の窓に適用できる。また、コーナー部材には種々の形状のものがあるので、耐火材の形状や取付位置も都度異なるが、発泡時にコーナー部材自身を覆い、また対向する位置にあるアタッチメントをも覆うものであれば、どのように取り付けてあってもよい。さらに、気密ピース、貫通孔及びカバー材は、何れも戸当り側と召合せ側のどちらに設けてあってもよい。
【符号の説明】
【００３１】
１  枠体
２ａ，２ｂ  障子
３  縦框
４  横框
９  コーナー部材
１０ａ  気密ピース
１０ｂ  カバー材
１１  上枠（横枠）
１２  下枠（横枠）
１３  縦枠
６１，６２  耐火材（横框）
６３  耐火材（縦框）
６５，６６  補助耐火材
６７  耐火材（コーナー部材）
７１  貫通孔
【図１】
0005646977.tif 000002
【図２】
0005646977.tif 000003
【図３】
0005646977.tif 000004
【図４】
0005646977.tif 000005
【図５】
0005646977.tif 000006
【図６】
0005646977.tif 000007
【図７】
0005646977.tif 000008